(57)【要約】      （修正有）【課題】電気回路の簡易性及び信頼性の改善、さらには大量生産が容易な軸方向磁束電気機械用の固定子を提供する。【解決手段】軸方向磁束電気機械用の固定子は、その固定子上に形成された少なくとも１つの平坦な巻線を有している。平坦な巻線は平坦な固定子上に円周方向に分布配置されている。平坦な巻線は、回転子の軸に関して実質的に放射状の複数の花弁状部を備えている。平坦な巻線は、印刷回路基板工程、光化学エッチング工程、化学エッチング工程、機械工具工程、複数又は単一層ワイヤ巻線工程、鋳造工程及びそれらの任意の組み合わせからなる群から選択される工程により形成される。【選択図】図２
0003189348.tif 000002
【実用新案登録請求の範囲】
【請求項１】
軸方向磁束電気機械用の固定子であって、前記固定子が該固定子上に形成された少なくとも１つの平坦な巻線を有しており、前記平坦な巻線は前記平坦な固定子上に円周方向に分布配置されており、前記平坦な巻線は、前記回転子の軸に関して実質的に放射状の複数の花弁状部を備えていることを特徴とする軸方向磁束電気機械用の固定子。
【請求項２】
前記平坦な固定子上に円周方向に分布配置された複数の層をなした前記平坦な巻線を備えていることを特徴とする請求項１に記載の固定子。
【請求項３】
前記固定子がコア型であることを特徴とする請求項１に記載の固定子。
【請求項４】
前記固定子がコアレス型であることを特徴とする請求項１に記載の固定子。
【請求項５】
平坦な巻線が、印刷回路基板工程、光化学エッチング工程、化学エッチング工程、機械工具工程、複数又は単一層ワイヤ巻線工程、鋳造工程及びそれらの任意の組み合わせからなる群から選択される工程により形成されていることを特徴とする請求項１に記載の固定子。
【請求項６】
前記固定子が多数巻線構造を備えており、各巻線が前記平坦な固定子の個々の層内に形成されていることを特徴とする請求項１に記載の固定子。
【請求項７】
多相供給用に構成されており、前記個々の層に配置される各巻線が対応する相に接続可能であることを特徴とする請求項６に記載の固定子。
【請求項８】
単一相に接続可能な複数の前記巻線を備えていることを特徴とする請求項６に記載の固定子。
【請求項９】
前記巻線が前記相に直列に接続可能であることを特徴とする請求項６に記載の固定子。
【請求項１０】
前記巻線が前記相に平行に接続可能であることを特徴とする請求項６に記載の固定子。
【請求項１１】
巻線の接続方式の変化により、出力トルク定数Ｋｔ及び逆起電力定数Ｋｅが変化するように適応されていることを特徴とする請求項６に記載の固定子。
【請求項１２】
同軸配置された複数の前記固定子及びこれら層間に配置された複数の前記回転子を有することを特徴とする請求項１に記載の固定子。
【請求項１３】
前記放射状部が分割されていることを特徴とする請求項１に記載の固定子。
【請求項１４】
前記回転子の両側を囲む２つの前記平坦な巻線を備えていることを特徴とする請求項１に記載の固定子。
【請求項１５】
中間巻線接続によって直列に接続されている２つの前記巻線を有する基板を備えていることを特徴とする請求項１に記載の固定子。
【請求項１６】
ＡＣ電動機、ＤＣ電動機、ＡＣ発電機、ＤＣ発電機、ブラシ型電動機、ブラシ型発電機、ブラシレス型電動機、ブラシレス型発電機、誘導電動機、スイッチトリラクタンス電動機、巻線形始動電動機、ステッピング電動機、非同期電動機、同期電動機、リゾルバ、タコメータ、永久磁石電動機、及び永久磁石発電機からなる群から選択された電気機械に組み込まれていることを特徴とする請求項１に記載の固定子。
【請求項１７】
前記電気機械が、永久磁石回転子、巻線回転子、巻線形始動回転子、強磁性バックプレート、及びそれらの任意の組み合わせからなる群から選択される回転子をさらに備えていることを特徴とする請求項１３に記載の固定子。
【請求項１８】
前記回転子が、前記固定子の両側を囲む２つの複数の永久磁石を備えていることを特徴とする請求項１４に記載の固定子。
【請求項１９】
（ａ）固定子上に円周方向に分布配置された少なくとも１つの平坦な巻線を有する当該固定子を用意するステップと、
（ｂ）円周方向に分布配置された複数の永久磁石を担持する回転子を用意するステップと、
（ｃ）前記回転子又は回転子対を放射方向の間隙を介して前記固定子上に回転可能に配置するステップと、
（ｄ）前記平坦な巻線を付勢するステップと、
（ｅ）回転トルクを供給するステップと
を備えており、
前記回転トルクは、実質的に放射状の前記複数の花弁状部によって生成されることを特徴とする軸方向磁束電気機械における平坦巻線の固定子を使用する方法。
【請求項２０】
（ａ）固定子上に円周方向に分布配置されており、回転子の軸に関して実質的に放射状の複数の花弁状部を備えた少なくとも１つの平坦な巻線を有する当該固定子を用意するステップと、
（ｂ）円周方向に分布配置された複数の永久磁石を担持する回転子を用意するステップと、
（ｃ）前記回転子又は回転子対を放射方向の間隙を介して前記固定子上に回転可能に配置するステップと、
（ｄ）前記回転子に回転トルクを印加するステップと、
（ｅ）前記平坦な巻線の端子に電圧を発生するステップと
を備えており、
前記電圧は、実質的に放射状の前記複数の花弁状部によって生成されることを特徴とする軸方向磁束電気機械における平坦巻線の固定子を使用する方法。
【請求項２１】
前記固定子が、当該平坦な固定子上に円周方向に分布配置された複数の層をなした前記平坦な巻線を備えていることを特徴とする請求項１９又は２０に記載の方法。
【請求項２２】
前記付勢するステップが、各巻線が多数巻線構造内の個々の層である当該多数巻線構造を付勢することを含んでいることを特徴とする請求項１９に記載の方法。
【請求項２３】
前記電圧を発生するステップが、各巻線が多数巻線構造内の個々の層である当該多数巻線構造によってなされることを特徴とする請求項２０に記載の方法。
【請求項２４】
前記固定子がコア型であることを特徴とする請求項１９又は２０に記載の方法。
【請求項２５】
前記固定子がコアレス型であることを特徴とする請求項１９又は２０に記載の方法。
【請求項２６】
前記付勢するステップが、個々の層に配置される各巻線が対応する相に接続可能である多相方式でなされることを特徴とする請求項１９に記載の方法。
【請求項２７】
前記付勢するステップにおいて、複数の前記巻線が単一相に接続されていることを特徴とする請求項２６に記載の方法。
【請求項２８】
前記電圧を発生するステップが、個々の層に配置される各巻線が対応する相に接続可能である多相方式でなされることを特徴とする請求項２７に記載の方法。
【請求項２９】
前記付勢するステップにおいて、複数の前記巻線が単一相に接続されていることを特徴とする請求項２７に記載の方法。
【請求項３０】
前記巻線が前記相に直列に接続されていることを特徴とする請求項１９又は２０に記載の方法。
【請求項３１】
前記巻線が前記相に並列に接続されていることを特徴とする請求項１９又は２０に記載の方法。
【請求項３２】
同軸配置された複数の前記固定子及びこれら層間に配置された複数の前記回転子を有していることを特徴とする請求項１９又は２０に記載の方法。
【請求項３３】
ＡＣ電動機、ＤＣ電動機、ＡＣ発電機、ＤＣ発電機、ブラシ型電動機、ブラシ型発電機、ブラシレス型電動機、ブラシレス型発電機、誘導電動機、スイッチトリラクタンス電動機、巻線形始動電動機、ステッピング電動機、非同期電動機、同期電動機、リゾルバ、タコメータ、永久磁石電動機、及び永久磁石発電機からなる群から選択された電気機械に組み込まれていることを特徴とする請求項１９又は２０に記載の方法。
【請求項３４】
前記電気機械が、永久磁石回転子、巻線回転子、巻線形始動回転子、強磁性バックプレート、及びそれらの任意の組み合わせからなる群から選択される回転子をさらに備えていることを特徴とする請求項３３に記載の方法。
【請求項３５】
前記回転子が、前記固定子の両側を囲む２つの複数の永久磁石を備えていることを特徴とする請求項３４に記載の方法。
【請求項３６】
前記固定子が、前記回転子の両側を囲む２つの前記平坦な巻線を備えていることを特徴とする請求項３４に記載の方法。
【請求項３７】
前記固定子が、中間巻線接続によって接続されている２つの前記巻線を有する基板を備えていることを特徴とする請求項３４に記載の方法。
【考案の詳細な説明】
【技術分野】
【０００１】
本考案は軸方向磁束電気機械に関し、より詳しくは、回転子の軸に関して実質的に放射状である複数の花弁状部を備えた一体的な平坦巻線を備えている電気機械に関する。
【背景技術】
【０００２】
永久磁石を用いた軸方向磁束機械は、複数の一般に平坦な回転子ディスクと、各固定子及び小さな空隙（即ち、走行間隙）によって分離された回転子ディスクの軸に沿って軸方向に装着された固定子ディスクとからなる。磁石は、固定子に対向した交互のＮＳ磁極を有する回転子ディスクの円周方向に円形に装着される。回転子ディスクは、固定子ディスクに対して回転する。回転子は、一方又は両方のディスク上に磁石を有し得る１対のディスクを備えている。固定子ディスクは、２つの回転子ディスク間に位置する。
【０００３】
固定子ディスク（コア）は、非磁性非導電性材料から（コアレス型固定子）、又は積層された磁気材料から（コア型固定子）形成され得る。電機子巻線は、固定子に巻回されており、スロット内に配置されるか又は表面実装型空隙巻線として設けられ得る。
【０００４】
軸方向磁束機械は、同等の放射方向磁束機械に比してより大きい直径及びより短い軸長を有する傾向があり、従って、短い軸長の機械が要求される用途に、例えば車輪内電動機に、又はフライホィールに代えて発電機が内燃機関上に直接装着される際に内燃機関と共に用いる場合に、魅力的である。
【０００５】
軸方向磁束永久磁石電動機は、そのパンケーキ状の形状及び高いトルク能力により、直接駆動システムに好適に選択される。近年、軸方向磁束永久磁石機械の多くの異なる位相幾何学（topologies）が、開発され報告されている。
【０００６】
特許文献１は、荷重基部を有するベアリングハウジングと、電気ユニットと、ベアリングと、ベアリング上に配置された磁気回転子ユニットとを含む電動機要素を開示している。さらに、荷重基部から突出部が伸長しており、電気ユニットがプリント回路基板（ＰＣＢ）及び検知素子を含んでいる。ＰＣＢはその上に荷重基部を配置するために利用されている。また、ＰＣＢ上で荷重基部の周りに信号回路及び電動機巻線が形成されており、検知素子が電動機巻線の周りに配置されており、ベアリングが突出部に配置されている。加えて、ＰＣＢとの空隙を保ちつつ磁気回転子ユニット電動機巻線上に配置されており、従って、電流が電動機巻線を通過するときに、磁気回転子ユニット及び電動機巻線が誘導鎖交磁束を発生し、磁気回転子装置をＰＣＢに対して回転するように駆動する（要約参照）。
【０００７】
特許文献２によれば、コアレス・ブラシレス電動機において、周波数発生コイルが、回転子磁石と固定子ヨークとの間に配置されている。周波数発生コイルは、回転している回転子磁石からの磁束によって、回転子磁石の回転速度に比例した周波数のＡＣ信号を誘起するように構成されている。電動機の駆動コイルブロックへの駆動電流の一部が分岐されており、駆動コイルブロックの磁束により周波数発生コイルで誘起された電流が、この分岐された駆動電流によってキャンセラ回路内でキャンセルされる。これにより、回転子磁石の磁束により誘起されたＡＣ信号のみが取り出され、その回転速度が検出される（要約参照）。
【先行技術文献】
【特許文献】
【０００８】
【特許文献１】米国特許第７６６３２７９号明細書
【特許文献２】欧州特許公開第０２４６６７１号公報
【考案の概要】
【考案が解決しようとする課題】
【０００９】
特許文献１及び２の技術的解決策は、全て、ＰＣＢ及び複数の永久磁石を有する回転子に形成された駆動コイルを有する固定子を備えた極薄のブラシレス電気機械に関するものである。
【００１０】
電気回路の簡易性及び信頼性の改善、さらには大量生産の容易性に特徴づけられる極薄のブラシレス電気機械装置についての、長年に渡る、満たされていない要求が存在している。
【課題を解決するための手段】
【００１１】
従って、本考案の１つの目的は、（ａ）少なくとも１つの平坦な巻線を有する固定子と、（ｂ）円周方向に分布配置された複数の永久磁石を担持しており、この固定子に放射状の空隙を介して回転可能に接続された回転子とを備えた軸方向磁束電気機械を提供することにある。
【００１２】
固定子上に円周方向に分布配置された平坦な巻線を提供することは、本考案の主たる態様である。平坦な巻線は、回転子の軸に関して実質的に放射状の複数の花弁状部を備えている。
【００１３】
本考案の他の態様によれば、平坦な巻線が、印刷回路基板工程、光化学エッチング工程、化学エッチング工程、機械工具工程、複数又は単一層ワイヤ巻線工程、鋳造工程及びそれらの任意の組み合わせからなる群から選択される工程により形成されている。
【００１４】
本考案のさらに他の態様によれば、複数の花弁状部の数が、永久磁石の数に等しいか又はその倍数である。
【００１５】
本考案のさらに他の態様によれば、固定子が多数巻線構造を備えており、各巻線が多数巻線構造内で個々に層状となっている。
【００１６】
本考案のさらに他の態様によれば、電気機械が、多相供給用に構成されており、個々の層に配置される各巻線が対応する相に接続可能である。
【００１７】
本考案のさらに他の態様によれば、電気機械が、単一相に接続可能な複数の巻線を備えている。
【００１８】
本考案のさらに他の態様によれば、巻線が相に直列又は並列に接続可能である。
【００１９】
本考案のさらに他の態様によれば、電気機械が、同軸配置された複数の固定子及びこれら層間に配置された複数の回転子を有している。
【００２０】
本考案のさらに他の態様によれば、放射状部が分割されている。
【００２１】
本考案のさらに他の態様によれば、固定子が、ＡＣ電動機、ＤＣ電動機、ＡＣ発電機、ＤＣ発電機、ブラシ型電動機、ブラシ型発電機、ブラシレス型電動機、ブラシレス型発電機、誘導電動機、スイッチトリラクタンス電動機、巻線形始動電動機、ステッピング電動機、非同期電動機、同期電動機、リゾルバ、タコメータ、永久磁石電動機、及び永久磁石発電機からなる群から選択された電気機械に組み込まれている。
【００２２】
本考案のさらに他の態様によれば、電気機械が、永久磁石回転子、巻線回転子、巻線形始動回転子、強磁性バックプレート、及びそれらの任意の組み合わせからなる群から選択される回転子をさらに備えている。
【００２３】
本考案のさらに他の態様によれば、回転子が固定子の両側を囲む２つの複数の永久磁石を備えている。
【００２４】
本考案のさらに他の態様によれば、固定子が回転子の両側を囲む２つの平坦な巻線を備えている。
【００２５】
本考案を理解し、本考案どのように実際には実施されるかを知るために、複数の実施形態が、非限定的な実施形態として、添付の図面を参照して以下記載されている。
【図面の簡単な説明】
【００２６】
【図１】軸方向磁束電気機械の概略断面図である。
【図２】平坦な固定子巻線の概略図である。
【図３】平坦な固定子巻線の概略図である。
【図４】固定子巻線の接続端子を詳細に示す概略図である。
【考案を実施するための形態】
【００２７】
以下の記載は、いかなる当業者も本考案を使用可能となるように提供され、本考案を実施する考案者により考察される最良の形態を説明するものである。しかしながら、本考案の一般的な原理が平坦な固定子巻線を有する軸方向磁束電気機械及びこの電気機械を使用する方法を提供するために特に規定されていることから、種々の変更態様が適用可能であることは、当業者にとって明らかである。
【００２８】
以下、固定子１０と、この固定子１０に回転可能に接続された回転子２０とを備えた軸方向磁束電気機械１００の概略図を表している図１を参照する。回転子２０は、円周方向に分布配置された複数の永久磁石４０を備えている。平坦な巻線３０が、固定子１０内に配置されている。平坦な巻線３０は、複数の永久磁石４０全てと並列に相互作用するために、一体的に構成されている。
【００２９】
次に、固定子１０上に配置される平坦な巻線３０の概略図を表している図２を参照する。平坦な巻線３０は、固定子上に円周方向に分布配置されている。平坦な巻線は、上述の回転子の軸と関して実質的に放射状である複数の花弁状部を備えている。花弁状部の数は、上述の複数の永久磁石の数に等しいかその倍数である。上述した花弁状部は、この技術分野で公知の個々の電磁石の磁場と同様に磁場を作成する。しかしながら、提案した巻線構成は、大量生産の技術工程に関してより単純であり、同時に、電気機械における高い信頼性を提供する。
【００３０】
本考案の一実施形態によれば、固定子は複数巻線構造を備えている。各巻線は、平坦な固定子の単一の層内に形成される。
【００３１】
電気機械は、多相供給用に構成可能である。上述の単一の層に配置される各巻線は、直列の又は並列の対応する相に接続可能である。
【００３２】
以下、固定子１０ａ上に配置される平坦な巻線３０ａの他の実施形態を示す図３を参照する。平坦な巻線３０ａは、熱伝導のためのヒートシンク３５を備えている。
【００３３】
次に、接続端末６０ａ及び６０ｂを備えているＰＣＢ巻線３０の詳細な略図を示す図４を参照する。
【００３４】
提案された技術的解決策によれば、極薄の電気機械が提供される。モジュール方式及び積み重ね方式の機械設計を行うことにより、回転子の複数の永久磁石によって生成されるいくつかの磁場を１つの固定子が交差するように、単一の固定子をいくつかの回転子間に分割させることができる。分割は、各相巻線を回転子対間に配置することによって、又は３相全ての巻線を各回転子対間に配置することによって行うことが可能である。
【００３５】
トルク定数Ｋｔ及び逆起電力定数Ｋｅは、簡単な電子スイッチを用いて並列接続及び直列接続間の切り替えを行うことによって、機械の動作中に容易に変化させることができる。
【００３６】
提案された技術的解決策によれば、特定方法の固定子及び機械全体の両方における改良されたモジュール方式及び積み重ね方式が提供される。固定子は、種々の整流方式に容易に接続可能である。機械は、高い出力／体積比を有する強力な多段機械となるように、容易に積み重ね可能である。
【００３７】
固定子は、複数層の積み重ねから構成される。各層は単一相となる巻線部分を含む。これらの層は、単一相又は多層供給に適した可撓性の巻線回路を形成するために相互接続される。
【００３８】
巻線の位相幾何学は、円周方向に分布配置された「花弁状部」に特徴付けられている。本実施形態の場合と異なる数の層及び花弁状部は、本考案の範囲に含まれる。提案された方式は、機械が必要とする性能（トルク、速度、効率）に応じて異なる極数及び応用のための固定子巻線構成を提供する。３対の接続点を有する「デルタ」又は１対の接続点を有する「スター」の相間接続は、固定子の総厚を増大させないように、中間層ハンダ付けによってなされる。
【００３９】
位相幾何学によって、相間接続を固定子内部に位置させることができる。これら層は、必要とされる巻数に応じて、直列又は並列に接続される。各層は、層間に配置された絶縁材料によって若しくは絶縁被覆によって、又は静電塗装若しくは他の手段によって電気的に絶縁されている。あるいは、各層は、ＰＣＢ技術を用いて、又はエナメル被覆若しくは他の被覆のワイヤを用いて形成されている。
【００４０】
多層構造は、剛性、熱伝導及び電気的絶縁を提供するための（例えばエポキシ又は他の材料による）封入母体内に封入可能である。あるいは、上述した固定子構造は、従来のＰＣＢ技術によって形成可能である。中間層接続は、貫通孔ハンダ付けによってなされる。中間層の絶縁は、本質的にＰＣＢ技術によってなされる。この場合、静電絶縁及びエポキシ封入は不必要である。
【００４１】
提案された位相幾何学は、放射方向の導体を長手方向に分割することによって、渦電流を最小にすることができる。さらに、提案された位相幾何学は、可能であればオーム抵抗を低減するために可変幅の導体を提供する。
【００４２】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００４３】
１０、１０ａ  固定子
２０  回転子
３０、３０ａ  巻線
３５  ヒートシンク
４０  永久磁石
６０ａ、６０ｂ  接続端末
１００  軸方向磁束電気機械
【図１】
0003189348.tif 000003
【図２】
0003189348.tif 000004
【図３】
0003189348.tif 000005
【図４】
0003189348.tif 000006
【手続補正書】
【提出日】平成24年11月22日(2012.11.22)
【手続補正１】
【補正対象書類名】実用新案登録請求の範囲
【補正対象項目名】全文
【補正方法】変更
【補正の内容】
【実用新案登録請求の範囲】
【請求項１】
軸方向磁束電気機械用の固定子であって、前記固定子が該固定子上に形成された少なくとも１つの平坦な巻線を有しており、前記平坦な巻線は前記平坦な固定子上に円周方向に分布配置されており、前記平坦な巻線は、前記回転子の軸に関して実質的に放射状の複数の花弁状部を備えていることを特徴とする軸方向磁束電気機械用の固定子。
【請求項２】
前記平坦な固定子上に円周方向に分布配置された複数の層をなした前記平坦な巻線を備えていることを特徴とする請求項１に記載の固定子。
【請求項３】
前記固定子がコア型であることを特徴とする請求項１に記載の固定子。
【請求項４】
前記固定子がコアレス型であることを特徴とする請求項１に記載の固定子。
【請求項５】
平坦な巻線が、印刷回路基板工程、光化学エッチング工程、化学エッチング工程、機械工具工程、複数又は単一層ワイヤ巻線工程、鋳造工程及びそれらの任意の組み合わせからなる群から選択される工程により形成されていることを特徴とする請求項１に記載の固定子。
【請求項６】
前記固定子が多数巻線構造を備えており、各巻線が前記平坦な固定子の個々の層内に形成されていることを特徴とする請求項１に記載の固定子。
【請求項７】
多相供給用に構成されており、前記個々の層に配置される各巻線が対応する相に接続可能であることを特徴とする請求項６に記載の固定子。
【請求項８】
単一相に接続可能な複数の前記巻線を備えていることを特徴とする請求項６に記載の固定子。
【請求項９】
前記巻線が前記相に直列に接続可能であることを特徴とする請求項６に記載の固定子。
【請求項１０】
前記巻線が前記相に平行に接続可能であることを特徴とする請求項６に記載の固定子。
【請求項１１】
巻線の接続方式の変化により、出力トルク定数Ｋｔ及び逆起電力定数Ｋｅが変化するように適応されていることを特徴とする請求項６に記載の固定子。
【請求項１２】
同軸配置された複数の前記固定子及びこれら層間に配置された複数の前記回転子を有することを特徴とする請求項１に記載の固定子。
【請求項１３】
前記放射状部が分割されていることを特徴とする請求項１に記載の固定子。
【請求項１４】
前記回転子の両側を囲む２つの前記平坦な巻線を備えていることを特徴とする請求項１に記載の固定子。
【請求項１５】
中間巻線接続によって直列に接続されている２つの前記巻線を有する基板を備えていることを特徴とする請求項１に記載の固定子。
【請求項１６】
ＡＣ電動機、ＤＣ電動機、ＡＣ発電機、ＤＣ発電機、ブラシ型電動機、ブラシ型発電機、ブラシレス型電動機、ブラシレス型発電機、誘導電動機、スイッチトリラクタンス電動機、巻線形始動電動機、ステッピング電動機、非同期電動機、同期電動機、リゾルバ、タコメータ、永久磁石電動機、及び永久磁石発電機からなる群から選択された電気機械に組み込まれていることを特徴とする請求項１に記載の固定子。
【請求項１７】
前記電気機械が、永久磁石回転子、巻線回転子、巻線形始動回転子、強磁性バックプレート、及びそれらの任意の組み合わせからなる群から選択される回転子をさらに備えていることを特徴とする請求項１３に記載の固定子。
【請求項１８】
前記回転子が、前記固定子の両側を囲む２つの複数の永久磁石を備えていることを特徴とする請求項１４に記載の固定子。
【請求項１９】
（ａ）固定子を用意するステップと、
（ｂ）円周方向に分布配置された複数の永久磁石を担持する回転子を用意するステップと、
（ｃ）前記回転子又は回転子対を放射方向の間隙を介して前記固定子上に回転可能に配置するステップと、
（ｄ）前記平坦な巻線を付勢するステップと、
（ｅ）回転トルクを供給するステップと
を備えており、
前記回転トルクは、実質的に放射状花弁形状の少なくとも１つの平坦な巻線によって生成されることを特徴とする軸方向磁束電気機械における平坦巻線の固定子を使用する方法。
【請求項２０】
（ａ）固定子上に円周方向に分布配置されており、回転子の軸に関して実質的に放射状の複数の花弁状部を備えた少なくとも１つの平坦な巻線を有する当該固定子を用意するステップと、
（ｂ）円周方向に分布配置された複数の永久磁石を担持する回転子を用意するステップと、
（ｃ）前記回転子又は回転子対を放射方向の間隙を介して前記固定子上に回転可能に配置するステップと、
（ｄ）前記回転子に回転トルクを印加するステップと、
（ｅ）前記平坦な巻線の端子に電圧を発生するステップと
を備えており、
前記電圧は、実質的に放射状花弁形状の少なくとも１つの平坦な巻線によって生成されることを特徴とする軸方向磁束電気機械における平坦巻線の固定子を使用する方法。
【請求項２１】
前記固定子が、当該平坦な固定子上に円周方向に分布配置された複数の層をなした前記平坦な巻線を備えていることを特徴とする請求項１９又は２０に記載の方法。
【請求項２２】
前記付勢するステップが、各巻線が多数巻線構造内の個々の層である当該多数巻線構造を付勢することを含んでいることを特徴とする請求項１９に記載の方法。
【請求項２３】
前記電圧を発生するステップが、各巻線が多数巻線構造内の個々の層である当該多数巻線構造によってなされることを特徴とする請求項２０に記載の方法。
【請求項２４】
前記固定子がコア型であることを特徴とする請求項１９又は２０に記載の方法。
【請求項２５】
前記固定子がコアレス型であることを特徴とする請求項１９又は２０に記載の方法。
【請求項２６】
前記付勢するステップが、個々の層に配置される各巻線が対応する相に接続可能である多相方式でなされることを特徴とする請求項１９に記載の方法。
【請求項２７】
前記付勢するステップにおいて、複数の前記巻線が単一相に接続されていることを特徴とする請求項２６に記載の方法。
【請求項２８】
前記電圧を発生するステップが、個々の層に配置される各巻線が対応する相に接続可能である多相方式でなされることを特徴とする請求項２７に記載の方法。
【請求項２９】
前記付勢するステップにおいて、複数の前記巻線が単一相に接続されていることを特徴とする請求項２７に記載の方法。
【請求項３０】
前記巻線が前記相に直列に接続されていることを特徴とする請求項１９又は２０に記載の方法。
【請求項３１】
前記巻線が前記相に並列に接続されていることを特徴とする請求項１９又は２０に記載の方法。
【請求項３２】
同軸配置された複数の前記固定子及びこれら層間に配置された複数の前記回転子を有していることを特徴とする請求項１９又は２０に記載の方法。
【請求項３３】
ＡＣ電動機、ＤＣ電動機、ＡＣ発電機、ＤＣ発電機、ブラシ型電動機、ブラシ型発電機、ブラシレス型電動機、ブラシレス型発電機、誘導電動機、スイッチトリラクタンス電動機、巻線形始動電動機、ステッピング電動機、非同期電動機、同期電動機、リゾルバ、タコメータ、永久磁石電動機、及び永久磁石発電機からなる群から選択された電気機械に組み込まれていることを特徴とする請求項１９又は２０に記載の方法。
【請求項３４】
前記電気機械が、永久磁石回転子、巻線回転子、巻線形始動回転子、強磁性バックプレート、及びそれらの任意の組み合わせからなる群から選択される回転子をさらに備えていることを特徴とする請求項３３に記載の方法。
【請求項３５】
前記回転子が、前記固定子の両側を囲む２つの複数の永久磁石を備えていることを特徴とする請求項３４に記載の方法。
【請求項３６】
前記固定子が、前記回転子の両側を囲む２つの前記平坦な巻線を備えていることを特徴とする請求項３４に記載の方法。
【請求項３７】
前記固定子が、中間巻線接続によって接続されている２つの前記巻線を有する基板を備えていることを特徴とする請求項３４に記載の方法。
【手続補正書】
【提出日】平成25年8月16日(2013.8.16)
【手続補正１】
【補正対象書類名】実用新案登録請求の範囲
【補正対象項目名】全文
【補正方法】変更
【補正の内容】
【実用新案登録請求の範囲】
【請求項１】
軸方向磁束電気機械用の固定子であって、前記固定子が該固定子上に形成された少なくとも１つの平坦な巻線を有しており、前記平坦な巻線は前記平坦な固定子上に円周方向に分布配置されており、前記平坦な巻線は、前記回転子の軸に関して実質的に放射状の複数の花弁状部を備えていることを特徴とする軸方向磁束電気機械用の固定子。
【請求項２】
前記平坦な固定子上に円周方向に分布配置された複数の層をなした前記平坦な巻線を備えていることを特徴とする請求項１に記載の固定子。
【請求項３】
前記固定子がコア型であることを特徴とする請求項１に記載の固定子。
【請求項４】
前記固定子がコアレス型であることを特徴とする請求項１に記載の固定子。
【請求項５】
平坦な巻線が、印刷回路基板工程、光化学エッチング工程、化学エッチング工程、機械工具工程、複数又は単一層ワイヤ巻線工程、鋳造工程及びそれらの任意の組み合わせからなる群から選択される工程により形成されていることを特徴とする請求項１に記載の固定子。
【請求項６】
前記固定子が多数巻線構造を備えており、各巻線が前記平坦な固定子の個々の層内に形成されていることを特徴とする請求項１に記載の固定子。
【請求項７】
多相供給用に構成されており、前記個々の層に配置される各巻線が対応する相に接続可能であることを特徴とする請求項６に記載の固定子。
【請求項８】
単一相に接続可能な複数の前記巻線を備えていることを特徴とする請求項６に記載の固定子。
【請求項９】
前記巻線が前記相に直列に接続可能であることを特徴とする請求項６に記載の固定子。
【請求項１０】
前記巻線が前記相に平行に接続可能であることを特徴とする請求項６に記載の固定子。
【請求項１１】
巻線の接続方式の変化により、出力トルク定数Ｋｔ及び逆起電力定数Ｋｅが変化するように適応されていることを特徴とする請求項６に記載の固定子。
【請求項１２】
同軸配置された複数の前記固定子及びこれら層間に配置された複数の前記回転子を有することを特徴とする請求項１に記載の固定子。
【請求項１３】
前記放射状部が分割されていることを特徴とする請求項１に記載の固定子。
【請求項１４】
前記回転子の両側を囲む２つの前記平坦な巻線を備えていることを特徴とする請求項１に記載の固定子。
【請求項１５】
中間巻線接続によって直列に接続されている２つの前記巻線を有する基板を備えていることを特徴とする請求項１に記載の固定子。
【請求項１６】
ＡＣ電動機、ＤＣ電動機、ＡＣ発電機、ＤＣ発電機、ブラシ型電動機、ブラシ型発電機、ブラシレス型電動機、ブラシレス型発電機、誘導電動機、スイッチトリラクタンス電動機、巻線形始動電動機、ステッピング電動機、非同期電動機、同期電動機、リゾルバ、タコメータ、永久磁石電動機、及び永久磁石発電機からなる群から選択された電気機械に組み込まれていることを特徴とする請求項１に記載の固定子。
【請求項１７】
前記電気機械が、永久磁石回転子、巻線回転子、巻線形始動回転子、強磁性バックプレート、及びそれらの任意の組み合わせからなる群から選択される回転子をさらに備えていることを特徴とする請求項１３に記載の固定子。
【請求項１８】
前記回転子が、前記固定子の両側を囲む２つの複数の永久磁石を備えていることを特徴とする請求項１４に記載の固定子。
【手続補正書】
【提出日】平成25年12月26日(2013.12.26)
【手続補正１】
【補正対象書類名】実用新案登録請求の範囲
【補正対象項目名】全文
【補正方法】変更
【補正の内容】
【実用新案登録請求の範囲】
【請求項１】
軸方向磁束電気機械用の固定子であって、前記固定子が該固定子上に形成された少なくとも１つの平坦な巻線を有しており、前記平坦な巻線は平坦な前記固定子上に円周方向に分布配置されており、前記平坦な巻線は、回転子の軸に関して実質的に放射状の複数の花弁状部を備えていることを特徴とする軸方向磁束電気機械用の固定子。
【請求項２】
前記平坦な固定子上に円周方向に分布配置された複数の層をなした前記平坦な巻線を備えていることを特徴とする請求項１に記載の固定子。
【請求項３】
前記固定子がコア型であることを特徴とする請求項１に記載の固定子。
【請求項４】
前記固定子がコアレス型であることを特徴とする請求項１に記載の固定子。
【請求項５】
平坦な巻線が、印刷回路基板工程、光化学エッチング工程、化学エッチング工程、機械工具工程、複数又は単一層ワイヤ巻線工程、鋳造工程及びそれらの任意の組み合わせからなる群から選択される工程により形成されていることを特徴とする請求項１に記載の固定子。
【請求項６】
前記固定子が多数巻線構造を備えており、各巻線が前記平坦な固定子の個々の層内に形成されていることを特徴とする請求項１に記載の固定子。
【請求項７】
多相供給用に構成されており、前記個々の層に配置される各巻線が対応する相に接続可能であることを特徴とする請求項６に記載の固定子。
【請求項８】
単一相に接続可能な複数の前記巻線を備えていることを特徴とする請求項６に記載の固定子。
【請求項９】
前記巻線が前記相に直列に接続可能であることを特徴とする請求項６に記載の固定子。
【請求項１０】
前記巻線が前記相に平行に接続可能であることを特徴とする請求項６に記載の固定子。
【請求項１１】
巻線の接続方式の変化により、出力トルク定数Ｋｔ及び逆起電力定数Ｋｅが変化するように適応されていることを特徴とする請求項６に記載の固定子。
【請求項１２】
同軸配置された複数の前記固定子及びこれら層間に配置された複数の前記回転子を有することを特徴とする請求項１に記載の固定子。
【請求項１３】
前記放射状部が分割されていることを特徴とする請求項１に記載の固定子。
【請求項１４】
前記回転子の両側を囲む２つの前記平坦な巻線を備えていることを特徴とする請求項１に記載の固定子。
【請求項１５】
中間巻線接続によって直列に接続されている２つの前記巻線を有する基板を備えていることを特徴とする請求項１に記載の固定子。
【請求項１６】
ＡＣ電動機、ＤＣ電動機、ＡＣ発電機、ＤＣ発電機、ブラシ型電動機、ブラシ型発電機、ブラシレス型電動機、ブラシレス型発電機、誘導電動機、スイッチトリラクタンス電動機、巻線形始動電動機、ステッピング電動機、非同期電動機、同期電動機、リゾルバ、タコメータ、永久磁石電動機、及び永久磁石発電機からなる群から選択された電気機械に組み込まれていることを特徴とする請求項１に記載の固定子。
【請求項１７】
前記電気機械が、永久磁石回転子、巻線回転子、巻線形始動回転子、強磁性バックプレート、及びそれらの任意の組み合わせからなる群から選択される回転子をさらに備えていることを特徴とする請求項１３に記載の固定子。
【請求項１８】
前記回転子が、前記固定子の両側を囲む２つの複数の永久磁石を備えていることを特徴とする請求項１４に記載の固定子。